(57)【要約】【課題】送信側におけるキーの操作情報を少ない情報量で受信側に伝送でき、送信側の伝送処理を短くし、キー入力のレスポンスを向上させ得るようにする。【解決手段】送信機において、Ｎ個のキーの操作情報にそれぞれ対応して、自キーに対応するビット位置がフラグ１で、他のビット位置がフラグ０のＮビットのフラグ情報を割り付けテーブル１２３１に登録しておく。入力部１１でのキーの操作に応じて操作情報を入力し、入力された全てのキーの操作情報にそれぞれ対応するフラグ情報を割り付けテーブル１２３１から読み出して１つのフラグ情報に合成するとともに、合成したフラグ情報を載せた送信情報を生成してパケットに載せて受信機に送信する。【選択図】図３
2014191610.tif 000002
【特許請求の範囲】
【請求項１】
送信機から、入力部での操作に応じて生成される送信情報を受信機に伝送する無線通信装置において、
前記送信機は、
前記入力部の操作に応じた操作情報を入力し、
前記操作情報を構成する所定ビット内の所定の位置を前記入力部の操作に対応するフラグ情報とした前記送信情報を生成する制御部
を備えることを特徴とする無線通信装置。
【請求項２】
前記制御部は、
前記入力部からの前記操作情報に基づいて、信号変換処理を行い、前記フラグ情報を生成する信号処理部と、
前記フラグ情報に基づいて、前記送信情報を生成する送信情報生成部と
を備えることを特徴とする請求項１に記載の無線通信装置。
【請求項３】
前記信号処理部は、
前記操作情報をデジタル信号に変換する信号変換部と、
前記デジタル信号をもとに、前記入力部の操作に対応するフラグ情報を出力するフラグ情報出力部と
を備えることを特徴とする請求項１または請求項２に記載の無線通信装置。
【請求項４】
前記制御部は、
前記入力部からの複数の操作情報の入力に応じて、当該複数の操作情報にそれぞれ対応するフラグ情報を合成して、前記送信情報を生成する
ことを特徴とする請求項１乃至請求項３のいずれか一つに記載の無線通信装置。
【請求項５】
前記所定ビットの数は８ビットであり、前記フラグ情報は１ビットフラグである
ことを特徴とする請求項１乃至請求項４のいずれか一つに記載の無線通信装置。
【請求項６】
前記制御部は、
前記入力部の前記操作情報が前記所定ビットの数を超えた場合は、複数の前記所定ビットで構成する前記送信情報を生成する
ことを特徴とする請求項１乃至請求項５のいずれか一つに記載の無線通信装置。
【発明の詳細な説明】
【技術分野】
【０００１】
本発明は、無線通信装置に関する。
【背景技術】
【０００２】
ワイヤレス・キーボード装置は、ワイヤレス送信機からキーボードデータを所定のデータフォーマットで受信機に送信するように構成されている。ワイヤレス・キーボード装置の中には、キーボードデータが２４ビット長を有し、更に、該２４ビット長のキーボードデータが、該キーボード装置のいずれかのキーがオン／オフされる度に発信されるものがある。このような構成の場合、データ量が多く高速転送に不利であるとともに、データ転送に時間がかかるため消費電流が増大し、ワイヤレス・キーボード装置の電池寿命が短くなるおそれがある。
【０００３】
下記特許文献１に記載の発明は、機能キーと通常キーを分けて、別々のパケットで送信するワイヤレス・キーボードについて開示している。
【先行技術文献】
【特許文献】
【０００４】
【特許文献１】特開２００１−１９５１７４号公報
【発明の概要】
【発明が解決しようとする課題】
【０００５】
しかしながら、特許文献１記載の装置では、機能キーが少ないのにも関わらず、別のパケットとして分ける必要があった。このため、パケットの容量が大きくなり、ワイヤレス送信機の伝送処理に時間がかかるとともに、キー入力のレスポンスが低下することにもなった。
【０００６】
本発明は、上記した課題を解決するためになされたものであり、送信側におけるキーの操作情報を少ない情報量で受信側に伝送でき、送信側の伝送処理を短くし、キー入力のレスポンスを向上させることができる無線通信装置を提供することを目的とする。
【課題を解決するための手段】
【０００７】
上記した課題を解決するために、本発明の請求項１記載の発明は、送信機から、入力部での操作に応じて生成される送信情報を受信機に伝送する無線通信装置において、前記送信機は、前記入力部の操作に応じた操作情報を入力し、前記操作情報を構成する所定ビット内の所定の位置を前記入力部の操作に対応するフラグ情報とした前記送信情報を生成する制御部を備えることを特徴とする。
【０００８】
請求項２記載の発明は、前記制御部が、前記入力部からの前記操作情報に基づいて、信号変換処理を行い、前記フラグ情報を生成する信号処理部と、前記フラグ情報に基づいて、前記送信情報を生成する送信情報生成部とを備えることを特徴とする。
【０００９】
請求項３記載の発明は、前記信号処理部が、前記操作情報をデジタル信号に変換する信号変換部と、前記デジタル信号をもとに、前記入力部の操作に対応するフラグ情報を出力するフラグ情報出力部とを備えることを特徴とする。
【００１０】
請求項４記載の発明は、前記制御部が、前記入力部からの複数の操作情報の入力に応じて、当該複数の操作情報にそれぞれ対応するフラグ情報を合成して、前記送信情報を生成することを特徴とする。
【００１１】
請求項５記載の発明は、前記所定ビットの数は８ビットであり、前記フラグ情報は１ビットフラグであることを特徴とする。
【００１２】
請求項６記載の発明は、前記制御部が、前記入力部の前記操作情報が前記所定ビットの数を超えた場合は、複数の前記所定ビットで構成する前記送信情報を生成することを特徴とする。
【発明の効果】
【００１３】
請求項１乃至３記載の発明によれば、１つのキー対して１つのフラグ情報を割り付けることにより、キー毎にキー入力データを毎回送信する場合に比較して、キーの操作情報を少ない情報量で受信側に伝送でき、送信側の伝送処理を短くすることができる。また、キー入力のレスポンスが向上し、送信側のリアルタイムキー入力を実現できる。
【００１４】
請求項４記載の発明によれば、キー入力（操作情報）を複数キー分まとめて伝送でき、キー入力のレスポンスを向上させることができる。
【００１５】
請求項５記載の発明によれば、１つのキー入力を１ビットキーに割り当てることができ、８ビット構成のフラグ情報を用いると、８キー分の状態を送信することができる。
【００１６】
請求項６記載の発明によれば、８ビット構成のフラグ情報を搭載した送信情報を複数段連ねて１回に送信でき、８の上記段数倍分のキーの状態を送信することができる。
【図面の簡単な説明】
【００１７】
【図１】本発明の第１実施形態による無線通信装置の構成を示すブロック図である。
【図２】本発明の第１実施形態による制御部の構成を示すブロック図である。
【図３】本発明の第１実施形態によるフラグ情報出力処理の情報構造を示す図である。
【図４】本発明の第１実施形態による送信パケットの構成を示す図である。
【図５】本発明の第１実施形態による送信機の通信処理動作を示すフローチャートである。
【図６】本発明の第２実施形態によるフラグ情報出力処理の情報構成を示す図である。
【図７】本発明の第２実施形態による送信パケットの構成を示す図である。
【発明を実施するための形態】
【００１８】
以下、添付図面を参照して、本発明を実施するための形態（以下、本実施形態という）について詳細に説明する。なお、本実施形態の説明の全体を通して同じ要素には同じ番号を付している。本実施形態は、ワイヤレス・キーボード、家庭用電子機器（テレビ等）のリモコンなどに適用される。
【００１９】
（第１実施形態の構成）
図１は、本発明の一実施形態による無線通信装置１の構成を示すブロック図である。図１に示すように、無線通信装置１は、入力部１１でのキーの操作を受信側に認識させるための送信情報（Ｓｄ）を無線により送信する送信機１０と、送信機１０から上記送信情報（Ｓｄ）を無線により受信し、該送信情報（Ｓｄ）内の情報から送信側のキー操作を判別して該キー操作に対応する処理を行う受信機２０とにより構成される。送信機１０は、複数のキーを有し、各キーが操作（押下）されることにより該操作に対応する操作情報（Ｓａ）を出力する入力部１１、装置全体の制御を行うとともに、入力部１１でのキー操作に応じた操作情報（Ｓａ）から受信機２０に送信する送信情報（Ｓｄ）を生成する制御部１２、制御部１２で生成された送信情報（Ｓｄ）を載せたパケットである送信パケット（Ｐｄ）を生成し、これを通信情報（Ｐｓ）として受信機２０に送信する通信部１３を具備して構成される。
【００２０】
図２は、図１における制御部１２の構成を示すブロック図である。図２に示すように、制御部１２は、入力部１１からの操作情報（Ｓａ）に基づいて、該操作情報（Ｓａ）の信号変換処理を行い、フラグ情報（Ｓｋ）を生成する信号処理部１２１、信号処理部１２１により生成されたフラグ情報（Ｓｋ）に基づいて、受信機２０に伝送するための送信情報（Ｓｄ）を生成する送信情報生成部１２４を備える。また、信号処理部１２１は、入力部１１からの操作情報（Ｓａ）をデジタル信号（Ｓｉ）に変換する信号変換部１２２、信号変換部１２２から出力されるデジタル信号（Ｓｉ）をもとに、入力部１１で行われた操作に基づく操作情報（Ｓａ）に対応するフラグ情報（Ｓｋ）を出力するフラグ情報出力部１２３を備える。なお、フラグ情報出力部１２３は信号変換部１２２の中に含まれても良い（この場合、双方を１つにして信号処理部１２１を構成することができる）。
【００２１】
（第１実施形態の動作）
次に、図３、図４及び図５を参照して本実施形態による無線通信装置１の動作について詳細に説明する。本実施形態による無線通信装置１の送信機１０において、入力部１１は、例えば、“Ｓ”〜“Ｚ”まで操作キーが配置され、各キーが押される（操作される）と該操作されたキー（該操作）に応じた操作情報（Ｓａ）を出力する。制御部１２は入力部１１から出力される操作情報（Ｓａ）に基づいて、送信情報（Ｓｄ）を生成して通信部１３へ出力する。通信部１３は制御部１２からの送信情報（Ｓｄ）に基づいて、送信パケット（Ｐｄ）を生成し、通信情報（Ｐｓ）として送信する。
【００２２】
このように、送信機１０より無線で通信情報（Ｐｓ）を送信し、受信機２０が該通信情報（Ｐｓ）を受信する本実施形態の無線通信装置１において、送信機１０の制御部１２は、各キーの操作に基づく操作情報を少ない情報量で通信情報（Ｐｓ）に組み込むための情報構築機能を有することを特徴としている。以下、この情報構築機能について詳しく述べる。
【００２３】
図２に示されるように、制御部１２では、入力部３からキー操作に基づく操作情報（Ｓａ）が入力されると、信号変換部１２２が当該操作情報（Ｓａ）をデジタル信号（Ｓｉ）に変換して出力する。このデジタル信号（Ｓｉ）は、フラグ情報出力部１２３と送信情報生成部１２４へと入力する。フラグ情報出力部１２３は、信号変換部１２２から送られてくるデジタル信号（Ｓｉ）に基づき、該デジタル信号（Ｓｉ）に対応するフラグ情報（Ｓｋ）を出力する。
【００２４】
フラグ情報（Ｓｋ）は、入力部１１に設けられる各キーの操作に基づく各操作情報（Ｓａ）、つまり、信号変換部１２２により出力される、当該各操作情報（Ｓａ）のデジタル信号（Ｓｉ）にそれぞれ対応するものである。フラグ情報出力部１２３は、信号変換部１２２により出力されるデジタル信号（Ｓｉ）に基づき該デジタル信号（Ｓｉ）に対して予め割り付けられているフラグ情報（Ｓｋ）を出力する。
【００２５】
図３は第１実施形態によるフラグ情報出力部１２３におけるフラグ情報（Ｓｋ）の出力処理における情報構造を示す図である。ここで、図３（Ａ）は、操作キーに対するフラグ情報（Ｓｋ）の割り付け表の例を示す表図である。図３（Ｂ）は図３（Ａ）における割り付け表に基づき生成される送信情報（Ｓｄ１）の構成を示す図であり、図３（Ｃ）は上記割り付け表に基づき生成される別の送信情報（Ｓｄ２）の構成を示す図である。本実施形態は、入力部１１に設けられるキーが８個で、かつこれらのキーが“Ｓ”〜“Ｚ”と入力される場合の例である。
【００２６】
以下に具体的な説明を行う。図３（Ａ）において、操作キー（例えば、“Ｓ”）は操作されるキーの記号を示す。操作キーが“Ｓ”の場合、フラグ情報（Ｓｋ）である０ｂ０００００００１の先頭の２文字０ｂは２進数を示す。その後の８文字の０００００００１は所定ビット（請求項１参照）を示す。この例では、所定ビットは８ビット構成となり、１ビット目にフラグ“１”を立てた状態を示す。以下同様に、操作キー“Ｔ”〜”Ｚ”までフラグ情報（Ｓｋ）が割り付けられている。操作キー“Ｔ”〜”Ｚ”のフラグ情報（Ｓｋ）については、それぞれ、２ビット目〜８ビット目にそれぞれフラグ“１”が立てられている。このように、本実施形態での特徴は、入力部１１で操作されるキー個別に、８ビット内に（当該キーに対応する）フラグを１つのみ立てることにある。
【００２７】
つまり、入力部１１での各キーの操作に応じた各操作情報（Ｓａ）毎に各々生成されるフラグ情報（Ｓｋ）におけるフラグ（フラグのビット位置）は重ならずに構成される。これにより、フラグ情報出力部１２３は、例えば、図３における割り付け表の割り付け内容を有する割り付けテーブル１２３１として設けることで、例えば、操作キー“Ｓ”が操作された場合、割り付けテーブル１２３１を参照して、該操作キー“Ｓ”に対してフラグ情報（Ｓｋ）を０ｂ０００００００１として割り付ける（出力する）ことができる。同様にして、操作キー“Ｔ”〜“Ｚ”までが操作された場合、割り付けテーブル１２３１を参照して、該操作キー“Ｓ”〜“Ｚ”に対して、当該各キーに対応するビット位置がフラグ“１”に設定されたフラグ情報（Ｓｋ）を０ｂ００００００１０、０ｂ０００００１００、０ｂ００００１０００、０ｂ０００１００００、０ｂ００１０００００、０ｂ０１００００００、０ｂ１０００００００として、それぞれ、割り付ける（出力する）ことができる。
【００２８】
フラグ情報出力部１２３により出力された、入力部１１での操作に基づく操作情報（Ｓａ）に対応するフラグ情報（Ｓｋ）は、送信情報生成部１２４に入力される。また、送信情報生成部１２４には、信号変換部１２２からデジタル信号（Ｓｉ）（上記操作情報（Ｓａ）をデジタル変換した信号）が入力される。送信情報生成部１２４は、入力されたデジタル信号（Ｓｉ）とフラグ情報（Ｓｋ）とに基づき送信情報（Ｓｄ）を生成する。送信情報（Ｓｄ）の生成に際して、送信情報生成部１２４は、上記デジタル信号（Ｓｉ）に基づき操作されたキーを特定するとともに、入力部１１における当押下された各キー“Ｓ”〜“Ｚ”に対応するフラグ情報（Ｓｋ）を合成して１つのフラグ情報（Ｓｋ）を生成する。
【００２９】
そして、該合成後のフラグ情報（Ｓｋ）をフラグ情報領域に搭載した送信情報（Ｓｄ）を生成する。従って、入力部１１でキー“Ｓ”〜“Ｚ”まで操作された場合には、操作されたキー（キー“Ｓ”〜“Ｚ”）に対応するフラグ情報（Ｓｋ）が合成されてＳｄ１：０ｂ１１１１１１１１の値となり、図３（Ｂ）に示すように、当該合成後のフラグ情報（Ｓｋ）が搭載された送信情報（Ｓｄ１）が生成される。これに対して、例えば、“Ｓ”と“Ｘ”のキーのみが操作された場合は、当該“Ｓ”と“Ｘ”のキーにそれぞれ対応するフラグ情報（Ｓｋ）が合成されてＳｄ２：０ｂ００１００００１の値となり、図３（Ｃ）に示すように、当該合成後のフラグ情報（Ｓｋ）が搭載された送信情報（Ｓｄ２）が生成される。
このように、制御部１２は、入力部１１からの操作情報（Ｓａ）を構成する所定ビット内の所定の位置に、入力部１１の操作に対応するフラグ情報（Ｓｋ）を乗せて送信情報（Ｓｄ）を生成する。
【００３０】
次に、図４は本実施形態による送信パケットの構成を示す図である。図４に示すように、本実施形態の送信パケット（Ｐｄ）は、ヘッダーであるデータと、例えば、８ビットから成るフラグ情報領域を有する送信情報（Ｓｄ）を搭載するデータ領域と、チェックサムとして付加するデータ領域とにより構成される。本実施形態において、送信機１０の通信部１３（図１参照）では、通信データ生成部１３１が、上記データ構成から成る送信パケット（Ｐｄ）を生成し、送受信部１３２が、該送信パケット（Ｐｄ）を通信情報（Ｐｓ）として受信機２０に送信する。これにより、通信部１３は、例えば、入力部１１でキー“Ｓ”〜“Ｚ”の全てが操作された場合には、図４（Ａ）に示すように、送信情報（Ｓｄ）のデータ領域に、送信情報生成部１２４から出力される、０ｂ１１１１１１１１の値を有する送信情報（Ｓｄ１）を載せた送信パケット（Ｐｄ１）を生成し、受信機２０に対して送信する。また、入力部１１でキー“Ｓ”とキー“Ｘ”とが操作された場合には、図４（Ｂ）に示すように、送信情報（Ｓｄ）のデータ領域に、送信情報生成部１２４から出力される、０ｂ００１００００１の値を有する送信情報（Ｓｄ２）を載せた送信パケット（Ｐｄ２）を生成し、受信機２０に対して送信する。
【００３１】
図５は本実施形態における送信機１０の通信処理動作を示すフローチャートである。この通信処理を開始するに際し、制御部１２は、入力部１１でのキー操作に基づき入力する操作情報をスキャンする（ステップＳ１０１）。ここで、操作情報（Ｓａ）の入力がない場合は（ステップＳ１０２でＮＯ）、当該キースキャンを続行する。他方、操作情報（Ｓａ）の入力がある場合は（ステップＳ１０２でＹＥＳ）、信号変換部１２２が、入力された操作情報（Ｓａ）をデジタル変換処理を行い（ステップＳ１０３）、該デジタル変換処理により生成したデジタル信号（Ｓｉ）をフラグ情報出力部１２３、及び送信情報生成部１２４に出力する。フラグ情報出力部１２３は、入力するデジタル信号（Ｓｉ）に基づき、図３（Ａ）に示す割り付け表（割り付けテーブル１２３１）を参照して、入力部１１で操作されたキー（入力部１１から入力された操作情報）に対応するフラグ情報（Ｓｋ）を出力する（ステップＳ１０４）。
【００３２】
次いで、送信情報生成部１２４は、フラグ情報出力部１２３から出力される、入力部１１で操作された各キー（操作情報）に対応するフラグ情報（Ｓｋ）を合成し（ステップＳ１０５）、該合成後のフラグ情報（Ｓｋ）がフラグ情報領域（８ビットのフラグ情報領域）に入れられた送信情報（Ｓｄ）（図３（Ｂ）、（Ｃ）参照）を生成する（ステップＳ１０６）。更に、通信部１３では、ステップＳ１０６で生成された送信情報（Ｓｄ）を送信情報領域に埋め込むとともに、該送信情報（Ｓｄ）の前と後にそれぞれヘッダーとチェックサムとを付加した送信パケット（Ｐｄ）（図４参照）を生成し（ステップＳ１０７）、当該送信パケット（Ｐｄ）を通信情報（Ｐｓ）として受信機２０に送信する。その後は、ステップＳ１０１に戻り、キースキャンから始まる一連の処理を続行する。
【００３３】
このように、本実施形態では、送信機１０において、入力部１１のＮ個のキーの操作情報（Ｓａ）にそれぞれ対応して、自キーに対応するビット位置がフラグ１で、他のビット位置がフラグ０のＮビットのフラグ情報（図３（ａ）参照）を割り付けテーブル１２３１に登録しておく。入力部１１でのキーの操作に応じて操作情報（Ｓａ）を入力し、該入力された全てのキーの操作情報（Ｓａ）にそれぞれ対応するフラグ情報（Ｓｋ）を割り付けテーブル１２３１から読み出して１つのフラグ情報（Ｓｋ）に合成するとともに、該合成したフラグ情報（Ｓｋ）を載せた送信情報（Ｓｄ）を生成してパケットにより受信機２０に送信する。
【００３４】
前述した送信処理（図５参照）により送信機１０から送信される通信情報（Ｐｓ）は、受信機２０により受信される。本実施形態による無線通信装置１が、例えば、ＰＣ（パーソナル・コンピュータ）のコードレス・キーボード装置に適用されることを前提にすると、受信機２０は、コードレス・キーボード本体と通信可能に設けられるＰＣ（あるいは、該ＰＣの無線通信部）に相当する。前者の場合、受信機２０であるＰＣにおいて、装置全体の制御を行う制御部（中央制御装置：ＣＰＵ）は、無線通信部により受信した通信情報（Ｐｓ）からパケットを復元し、該パケットに含まれる送信情報（Ｓｄ）からフラグ情報領域の情報を取り出す。
【００３５】
ここで例えば図３（Ｃ）に示すフラグ情報（Ｓｋ）が取り出された場合について考える。この場合、当該ＰＣにおいても、図３（Ａ）に示す割り付けテーブル１２３１を備えておくことが考えられる。かかる構成によれば、該割り付けテーブル１２３１に登録された割り付けデータを参照して、１ビット目のフラグの値「１」から該１ビット目に対応するキー“Ｓ”が操作されたことを判読でき、また、６ビット目のフラグの値「１」から該６ビット目に対応するキー“Ｘ”が操作されたことを判読できる。これにより、ＰＣにおいて、ＣＰＵは、送信機（ワイヤレス・キーボード本体）１０におけるキー“Ｓ”と“Ｘ”の押下操作に対応する処理命令を実行することができる。
【００３６】
（第１実施形態の効果）
以上説明したように、本実施形態の構成によれば、送信するパケットが、操作キー１個に対して１ビットで送信できるため、所定数（例えば、Ｎ個）のキーの操作情報をＮビット構成のフラグ情報で送信する場合にも送信側の処理時間が短くなり、消費電流を少なくでき、省電力化が可能となる。送信側の処理時間が短くなることによりキー入力のレスポンスも向上し、送信側のリアルタイム入力を実現できる。無線の入力装置であれば、送信側の処理時間が短くなることによりバッテリー寿命が延びる。また、無線機器の占有時間が短くなるので、混信に強くなる。
【００３７】
（第２の実施形態）
（第２の実施形態の構成）
上述した第１実施形態では、例えば、８個のボタンの操作情報に対応すべく、８ビットで構成されるフラグ情報（Ｓｋ）を搭載した１つの送信情報（Ｓｄ）を送信パケット（Ｐｄ）に載せて送信する例について開示したが、第２の実施形態では、上記８ビット構成のフラグ情報（Ｓｋ）を搭載した送信情報（Ｓｄ）を１つの単位として、複数単位の送信情報（Ｓｄ）を送信パケット（Ｐｄ）に載せて送信するようにしたものである。本実施形態に係る無線通信装置１の機能ブロックの構成は、第１実施形態（図１、図２参照）と同様に実現できる。第１実施形態と異なる点として、本実施形態では、フラグ情報出力部１２３が、例えば、図６（Ａ）に示す割り付け表を参照してフラグ情報（Ｓｋ）の出力処理を行う。この割り付け表は、割り付けテーブル１２３３として備えるようにしても良い。
【００３８】
本実施形態で用いる割り付け表において、“Ｓ”〜“Ｚ”、“Ｋ”〜“Ｒ”の１６個の操作キーが備わる入力部１１を有する場合の例である。図６に示す割り付け表において、“Ｓ”〜“Ｚ”のキーの操作情報（Ｓａ）に対するフラグ情報（Ｓｋ）の割り付け内容は第１実施形態と同じである。加えて、本実施形態では、“Ｋ”〜“Ｒ”の操作キーに対しても、それぞれ、Ｓ”〜“Ｚ”のキーと同じフラグ情報（Ｓｋ）が割り付けられている。本実施形態において、Ｓ”〜“Ｚ”のキー群と、“Ｋ”〜“Ｒ”のキー群とをそれぞれ分けて考えた場合に、各キー群については、第１実施形態と同様、入力部１１での各キーの操作に基づく各操作情報（Ｓａ）毎に各々生成されるフラグ情報（Ｓｋ）におけるフラグ（フラグのビット位置）は重ならずに構成を保っている。Ｓ”〜“Ｚ”のキー群と、“Ｋ”〜“Ｒ”のキー群とに対して割り当てるフラグ情報（Ｓｋ）の重なりを避けるため、本実施形態では、送信情報（Ｓｄ）における各キー群のフラグ情報（Ｓｋ）を搭載する情報領域を各々独立した領域に設定している。
【００３９】
図６（Ｂ）は、図６（Ａ）における割り付け表に基づき生成される送信情報（Ｓｄ）の構成を示す図である。図２に示すように、本実施形態では、“Ｓ”〜“Ｚ”のキー群については、第１実施形態と同様、送信情報（Ｓｄ）中に、８ビットで構成される第１のフラグ情報領域ａ１を確保し、当該キー群のフラグ情報（Ｓｋ）を合成した値を書き込む。また、Ｋ”〜“Ｒ”のキー群については、同じく送信情報（Ｓｄ）中、上記Ｓ”〜“Ｚ”のキー群のためのフラグ情報（Ｓｋ）の後に同じビット構成を有する第２のフラグ情報領域ａ２を確保し、当該フラグ情報領域ａ２に当該キー群のフラグ情報（Ｓｋ）を合成した値を書き込む。
【００４０】
（第２の実施形態の動作）
第２の実施形態において、送信機１０は、基本的には、図５に示したフローチャートに沿った通信処理を行う。但し、本実施形態の送信機１０において、信号処理部１２１を構成するフラグ情報出力部１２３は、図５のステップＳ１０４において、信号変換部１２２から入力するデジタル信号（Ｓｉ）に基づき、図６（Ａ）に示す割り付け表（割り付けテーブル１２３３）を参照して、入力部１１で操作された、“Ｓ”〜“Ｚ”、及び“Ｋ”〜“Ｒ”の各キー（入力部１１から入力された操作情報）に対応するフラグ情報（Ｓｋ）を出力する。
【００４１】
次いで、ステップ１０５では、送信情報生成部１２４が、フラグ情報出力部１２３から出力される、入力部１１で操作された“Ｓ”〜“Ｚ”の各キー（操作情報）に対応するフラグ情報（Ｓｋ）を合成するとともに、同じく入力部１１で操作された“Ｋ”〜“Ｒ”の各キー（操作情報）に対応するフラグ情報（Ｓｋ）を合成する。
【００４２】
更に、ステップＳ１０６において、送信情報生成部１２４は、入力部１１におけるＳ”〜“Ｚ”のキー群については、送信情報（Ｓｄ）中に、上記第１のフラグ情報領域ａ１を確保する一方で、“Ｋ”〜“Ｒ”のキー群については、第１のフラグ情報領域の後に上記第２のフラグ情報領域ａ２を確保する。そのうえで、ステップＳ１０５で生成された“Ｓ”〜“Ｚ”の各キー（操作情報）に対応する合成フラグ情報（Ｓｋ）が上記フラグ情報領域ａ１に入れられ、かつ、“Ｋ”〜“Ｒ”の各キー（操作情報（Ｓａ））に対応する合成フラグ情報（Ｓｋ）が上記フラグ情報領域ａ２に入れられ送信情報（Ｓｄ）を生成する。図６（Ｂ）は、入力部１１において、“Ｓ”〜“Ｚ”、並びに“Ｋ”〜“Ｒ”の全てのキーが操作された場合に生成される送信情報（Ｓｄ３）の構成を示している。
【００４３】
更に、通信部１３では、ステップＳ１０６で生成された送信情報（情報領域ａ１とａ２を有する）を送信情報領域に埋め込むとともに、該送信情報の前と後にそれぞれヘッダーとチェックサムとを付加した送信パケット（図７参照）を生成し（ステップＳ１０７）、当該送信パケットを通信情報（Ｐｓ）として受信機２０に送信する。
【００４４】
図７は本実施形態による送信パケットの構成を示す図である。図７に示すように、本実施形態の送信パケット（Ｐｄ）は、ヘッダーであるデータと、例えば、８ビットから成るフラグ情報領域ａ１、ａ２を有する送信情報（Ｓｄ）を搭載するデータ領域と、チェックサムとして付加するデータ領域とにより構成される。送信機１０の通信部１３では、例えば、入力部１１でキー“Ｓ”〜“Ｚ”、“Ｋ”〜“Ｒ”の全てが操作された場合には、図７に示すように、送信情報（Ｓｄ）のデータ領域に、図６（Ｂ）示す送信情報（Ｓｄ３）を載せた送信パケット（Ｐｄ３）を生成し、受信機２０に対して送信する。
【００４５】
（第２実施形態の効果）
以上説明したように、第２実施形態による無線通信装置よれば、第１実施形態と同様の効果に加え、操作情報（Ｓａ）が所定ビットの数を超えると、複数の所定ビットで構成し、送信情報（Ｓｄ）を生成するため（図６（Ｂ）参照）、複数のキーの操作情報（Ｓａ）を受信機２０に伝達する場合にも処理時間を短くすることが可能となる。
【００４６】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００４７】
例えば、本発明に係る無線通信装置は、用途については特に限定されず、無線式キーボード、リモコン等の家庭に使われる電化製品全般に適用できる。送信機１０における制御部１２の構成は上記実施形態に限定されず、また、図４、図７に示したパケット構成も上記実施形態に限定されるものではない。
【符号の説明】
【００４８】
１  無線通信装置
１０  送信機
１１  入力部
１２  制御部
１２１  信号処理部
１２２  信号変換部
１２３  フラグ情報出力部
１２３１、１２３３  割り付けテーブル
１２４  送信情報生成部
１３  通信部
１３１  通信データ生成部
１３２  送受信部
２０  受信機
【図１】
2014191610.tif 000003
【図２】
2014191610.tif 000004
【図３】
2014191610.tif 000005
【図４】
2014191610.tif 000006
【図５】
2014191610.tif 000007
【図６】
2014191610.tif 000008
【図７】
2014191610.tif 000009